(57)【特許請求の範囲】
【請求項１】
携帯端末、情報端末および電子装置を含むシステムであって、
前記情報端末は、
前記携帯端末と無線通信を可能にする第１の通信手段と、
前記電子装置と無線通信を可能にする第２の通信手段と、
外部から情報を取得する取得手段と、
前記取得手段により情報が取得されたとき、当該情報の取得に関する通知を第１の通信手段を介して前記携帯端末に送信可能な通知手段と、
前記第２の通信手段を介して前記電子装置から受信した状況信号に基づき前記携帯端末の表示を制限すべきか否かを判定する判定手段と、
前記判定手段の判定結果に基づき前記通知手段を制御する制御手段と、
を有するシステム。
【請求項２】
前記制御手段は、前記携帯端末の表示を制限すべきと判定されたとき、前記通知手段に前記情報の取得に関する通知を前記携帯端末に送信させない、請求項１に記載のシステム。
【請求項３】
前記制御手段は、前記携帯端末の表示を制限すべきと判定されたとき、前記携帯端末の表示が制限されるような設定情報を前記携帯端末に送信する、請求項１に記載のシステム。
【請求項４】
前記設定情報は、前記携帯端末の出力設定を変更するための情報を含む、請求項３に記載のシステム。
【請求項５】
前記設定情報は、前記携帯端末の表示を動作不能にし、他の出力を動作可能にする、請求項４に記載のシステム。
【請求項６】
前記他の出力は、前記携帯端末の振動である、請求項５に記載のシステム。
【請求項７】
前記他の出力は、前記携帯端末の音声出力である、請求項５に記載のシステム。
【請求項８】
前記情報端末はさらに、前記携帯端末の表示を制限すべきと判定されたとき、前記情報の取得に関する通知を蓄積する蓄積手段を含み、
前記制御手段は、前記携帯端末の表示を制限すべきでないと判定されたとき、前記通知手段に蓄積された前記情報の取得に関する通知を第１の通信手段を介して前記携帯に送信する、請求項１ないし７いずれか１つに記載のシステム。
【請求項９】
前記判定手段は、前記状況信号が車両のエンジン起動を表すとき、前記携帯端末の表示を制限すべきと判定する、請求項１に記載のシステム。
【請求項１０】
前記判定手段は、前記状況信号が車両の速度が一定値以上を表すとき、前記携帯端末の表示を制限すべきと判定する、請求項１に記載のシステム。
【請求項１１】
前記判定手段は、前記状況信号が車両の停車を表すとき、前記携帯端末の表示を制限すべきと判定する、請求項１に記載のシステム。
【請求項１２】
前記判定手段は、前記状況信号が車両との距離が一定値以下を表すとき、前記携帯端末の表示を制限すべきと判定する、請求項１に記載のシステム。
【請求項１３】
前記携帯端末は、ユーザの人体に装着可能なウェアラブル端末であり、
前記情報端末はさらに、前記ウェアラブル端末から前記人体に関する情報を前記第１の通信手段を介して受信したとき、前記第２の通信手段を介して当該人体に関する情報を前記電子装置へ提供する提供手段を含む、請求項１ないし１２いずれか１つに記載のシステム。
【請求項１４】
前記提供手段はさらに、前記人体に関する情報に含まれる心拍数または血圧が一定値以上になったとき、レコメンド情報を第２の通信手段を介して前記電子装置へ提供する、請求項１３に記載のシステム。
【請求項１５】
前記通知手段はさらに、前記情報の取得に関する通知を前記第２の通信手段を介して前記電子装置へ通知する、請求項１ないし１４いずれか１つに記載のシステム。
【請求項１６】
前記制御手段はさらに、前記ウェアラブル端末の表示を制限すべきと判定されたとき、前記電子装置に前記ウェアラブル端末の表示を制限する旨の案内情報を表示させる、請求項１３ないし１５いずれか１つに記載のシステム。
【請求項１７】
前記制御手段はさらに、前記案内情報に応答してユーザー入力があったとき、前記ウェアラブル端末の表示の制限を実行する、請求項１６に記載のシステム。
【請求項１８】
前記電子装置は、車載用電子装置である、請求項１ないし１７いずれか１つに記載のシステム。
【請求項１９】
前記情報の取得に関する通知は、プッシュ通知またはポップアップ通知を含む、請求項１ないし１８いずれか１つに記載のシステム。
【請求項２０】
携帯端末と無線通信を可能にする第１の通信手段と、
電子装置と無線通信を可能にする第２の通信手段と、
外部から情報を取得する取得手段と、
前記取得手段により情報が取得されたとき、当該情報の取得に関する通知を第１の通信手段を介して前記携帯端末に送信可能な通知手段と、
前記第２の通信手段を介して前記電子装置から受信した状況信号に基づき前記携帯端末の表示を制限すべきか否かを判定する判定手段と、
前記判定手段の判定結果に基づき前記通知手段を制御する制御手段と、
を有する情報端末。
【請求項２１】
携帯端末と無線通信を可能にする第１の通信手段、電子装置と無線通信を可能にする第２の通信手段、外部から情報を取得する取得手段を有する情報端末が実行する情報通知プログラムであって、
前記第２の通信手段を介して前記電子装置から受信した状況信号に基づき前記携帯端末の表示を制限すべきか否かを判定するステップと、
前記携帯端末の表示を制限すべきでないと判定された場合に、前記取得手段により情報が取得されたとき、当該情報の取得に関する通知を第１の通信手段を介して前記携帯端末に送信し、前記携帯端末の表示を制限すべきと判定された場合に、前記携帯端末の出力設定を変更するための設定情報を前記携帯端末に送信するステップと、
を有する情報通知プログラム。
【請求項２２】
携帯端末と無線通信を可能にする第１の通信手段、電子装置と無線通信を可能にする第２の通信手段、外部から情報を取得する取得手段を有する情報端末における情報通知方法であって、
前記第２の通信手段を介して前記電子装置から受信した状況信号に基づき前記携帯端末の表示を制限すべきか否かを判定するステップと、
前記携帯端末の表示を制限すべきでないと判定された場合に、前記取得手段により情報が取得されたとき、当該情報の取得に関する通知を第１の通信手段を介して前記携帯端末に送信し、前記携帯端末の表示を制限すべきと判定された場合に、前記携帯端末の出力設定を変更するための設定情報を前記携帯端末に送信するステップと、
を有する情報通知方法。
【発明の詳細な説明】
【技術分野】
【０００１】
本発明は、情報端末に接続されたウェアラブル端末等の携帯端末への情報の通知方法に関し、特に、ウェアラブル端末に接続された携帯型情報端末が車内に搭載された車載装置と接続される場合の情報通知方法に関する。
【背景技術】
【０００２】
スマートフォンに代表されるような多機能型携帯端末の普及に伴い、スマートフォンと他の外部機器とを連携させた新たなサービスあるいはシステムが普及している。例えば、カーナビゲーション装置等の車載装置とスマートフォンとを接続し、スマートフォンに包含される機能を車載装置から実行できるようにし、スマートフォンの機能を車内空間において享受することが可能になっている。また、近年では、腕輪型のスマートウォッチ、メガネ型の端末など、人体に装着される小型のウェアラブル端末が登場しており、スマートフォンと連携することで、人体の健康管理等の新たなサービスが期待されている。
【０００３】
スマートウォッチは、腕時計を装着するように、人体の手首に装着され、利用者の心拍情報等を取得することができる。スマートウォッチは、Ｂｌｕｅｔｏｏｔｈ（登録商標）等の無線通信によりスマートフォン等の携帯型情報端末と接続することが可能であり、接続されたスマートフォンでは、専用のアプリケーション等を利用することにより、スマートウォッチが取得した心拍情報等の情報をライフログとして管理することができる。一方、スマートフォンは、スマートウォッチのみならず、従来から、車内に備えられたカーナビゲーション装置等の車載装置とも無線接続可能であり、スマートフォン１台で、他の複数の装置と無線通信を行う場合がある。特許文献１には、ある装置と接続中に、他の装置から接続要求を受けた場合の接続制御方法が開示されている。また、特許文献２には、Ｂｌｕｅｔｏｏｔｈ（登録商標）による通信において、通信相手の指定や変更に要する時間を短縮することができる通信装置が開示されている。
【先行技術文献】
【特許文献】
【０００４】
【特許文献１】特開２０１２−１４７１４６号公報
【特許文献２】特開２０１０−１８７４２１号公報
【発明の概要】
【発明が解決しようとする課題】
【０００５】
スマートウォッチがスマートフォン等の携帯型情報端末に接続されている場合、例えば、スマートフォンにメール受信やポップアップ表示等の情報が通知されると、その情報はさらにスマートフォンからスマートウォッチに通知され、スマートウォッチにおいて、通知された情報の表示、音声出力、あるいはスマートウォッチが振動される。これは、ユーザーにとっては、スマートフォンを取り出さなくとも通知を容易に確認できるので、利便性の良いものとなる。
【０００６】
しかしながら、スマートウォッチとスマートフォンとを接続したまま車に搭乗すると、運転中であるにもかかわらずスマートフォンへの通知がスマートウォッチへ通知され、運転者は、図１７に示すように、スマートウォッチＷの表示画面Ｄを確認するためにスマートウォッチＷへ視線を向けることになり、この動作は、安全運転の観点から好ましくない。また、状況によっては、スマートフォンへのポップアップ等の通知は、スマートフォンとスマートウォッチとの双方で行われる必要がなく、スマートフォンのみで十分な場合もある。
【０００７】
本発明は、このような従来の課題を解決するものであり、情報端末と携帯端末とが接続されている状態で、状況に応じて情報端末で取得された情報の表示を携帯端末で制限することができるシステム、情報端末、情報通知プログラムおよび情報通知方法を提供することを目的とする。
【課題を解決するための手段】
【０００８】
本発明に係るシステムは、携帯端末、情報端末および電子装置を含むものであって、前記情報端末は、前記携帯端末と無線通信を可能にする第１の通信手段と、前記電子装置と無線通信を可能にする第２の通信手段と、外部から情報を取得する取得手段と、前記取得手段により情報が取得されたとき、当該情報の取得に関する通知を第１の通信手段を介して前記携帯端末に送信可能な通知手段と、前記第２の通信手段を介して前記電子装置から受信した状況信号に基づき前記携帯端末の表示を制限すべきか否かを判定する判定手段と、前記判定手段の判定結果に基づき前記通知手段を制御する制御手段と、を有する。
【０００９】
好ましくは前記制御手段は、前記携帯端末の表示を制限すべきと判定されたとき、前記通知手段に前記情報の取得に関する通知を前記携帯端末に送信させない。好ましくは前記制御手段は、前記携帯端末の表示を制限すべきと判定されたとき、前記携帯端末の表示が制限されるような設定情報を前記携帯端末に送信する。好ましくは前記設定情報は、前記携帯端末の出力設定を変更するための情報を含む。好ましくは前記設定情報は、前記携帯端末の表示を動作不能にし、他の出力を動作可能にする。好ましくは前記他の出力は、前記携帯端末の振動である。好ましくは前記他の出力は、前記携帯端末の音声出力である。好ましくは前記情報端末はさらに、前記携帯端末の表示を制限すべきと判定されたとき、前記情報の取得に関する通知を蓄積する蓄積手段を含み、前記制御手段は、前記携帯端末の表示を制限すべきでないと判定されたとき、前記通知手段に蓄積された前記情報の取得に関する通知を第１の通信手段を介して前記携帯端末に送信する。好ましくは前記判定手段は、前記状況信号が車両のエンジン起動を表すとき、前記携帯端末の表示を制限すべきと判定する。好ましくは前記判定手段は、前記状況信号が車両の速度が一定値以上を表すとき、前記携帯端末の表示を制限すべきと判定する。好ましくは前記判定手段は、前記状況信号が車両の停車を表すとき、前記携帯端末の表示を制限すべきと判定する。好ましくは前記判定手段は、前記状況信号が車両との距離が一定値以下を表すとき、前記携帯端末の表示を制限すべきと判定する。好ましくは前記携帯端末は、ユーザーの人体に装着可能なウェアラブル端末であり、前記情報端末はさらに、前記ウェアラブル端末から前記人体に関する情報を前記第１の通信手段を介して受信したとき、前記第２の通信手段を介して当該人体に関する情報を前記電子装置へ提供する提供手段を含む。好ましくは前記提供手段はさらに、前記人体に関する情報に含まれる心拍数または血圧が一定値以上になったとき、レコメンド情報を第２の通信手段を介して前記電子装置へ提供する。好ましくは前記通知手段はさらに、前記情報の取得に関する通知を前記第２の通信手段を介して前記電子装置へ通知する。好ましくは前記制御手段はさらに、前記ウェアラブル端末の表示を制限すべきと判定されたとき、前記電子装置に前記ウェアラブル端末の表示を制限する旨の案内情報を表示させる。好ましくは前記制御手段はさらに、前記案内情報に応答してユーザー入力があったとき、前記ウェアラブル端末の表示の制限を実行する。好ましくは前記電子装置は、車載用電子装置である。好ましくは前記情報の取得に関する通知は、プッシュ通知またはポップアップ通知を含む。
【００１０】
本発明に係る情報端末は、携帯端末と無線通信を可能にする第１の通信手段と、電子装置と無線通信を可能にする第２の通信手段と、外部から情報を取得する取得手段と、前記取得手段により情報が取得されたとき、当該情報の取得に関する通知を第１の通信手段を介して前記携帯端末に送信可能な通知手段と、前記第２の通信手段を介して前記電子装置から受信した状況信号に基づき前記携帯端末の表示を制限すべきか否かを判定する判定手段と、前記判定手段の判定結果に基づき前記通知手段を制御する制御手段と、を有する。
【００１１】
本発明に係る情報通知プログラムは、携帯端末と無線通信を可能にする第１の通信手段、電子装置と無線通信を可能にする第２の通信手段、外部から情報を取得する取得手段を有する情報端末が実行するものであって、前記第２の通信手段を介して前記電子装置から受信した状況信号に基づき前記携帯端末の表示を制限すべきか否かを判定するステップと、前記携帯端末の表示を制限すべきでないと判定された場合に、前記取得手段により情報が取得されたとき、当該情報の取得に関する通知を第１の通信手段を介して前記携帯端末に送信し、前記携帯端末の表示を制限すべきと判定された場合に、前記携帯端末の出力設定を変更するための設定情報を前記携帯端末に送信するステップと、を有する。
【００１２】
本発明に係る情報通知方法は、携帯端末と無線通信を可能にする第１の通信手段、電子装置と無線通信を可能にする第２の通信手段、外部から情報を取得する取得手段を有する情報端末におけるものであって、前記第２の通信手段を介して前記電子装置から受信した状況信号に基づき前記携帯端末の表示を制限すべきか否かを判定するステップと、前記携帯端末の表示を制限すべきでないと判定された場合に、前記取得手段により情報が取得されたとき、当該情報の取得に関する通知を第１の通信手段を介して前記携帯端末に送信し、前記携帯端末の表示を制限すべきと判定された場合に、前記携帯端末の出力設定を変更するための設定情報を前記携帯端末に送信するステップと、を有する。
【発明の効果】
【００１３】
本発明によれば、電子装置から受信した状況信号に基づき携帯端末の表示を制限すべきか否かを判定し、その判定結果に基づき通知手段を制御するようにしたので、状況に応じて、情報端末で取得された情報の通知の表示を携帯端末において制限することができる。例えば、携帯端末が接続された情報端末が車内に持ち込まれたとき、運転者は、携帯端末の表示を確認しなくて済み、危険な運転を防止することができる。
【図面の簡単な説明】
【００１４】
【図１】本発明の第１の実施例に係る情報通知システムの構成を示す図である。
【図２】第１の実施例に係る携帯型情報端末の構成例を示すブロック図である。
【図３】第１の実施例に係る携帯型情報端末の表示制御プログラムの機能的な構成を示す図である。
【図４】状況信号に基づくスマートウォッチの表示制限の判定例を示すテーブルである。
【図５】スマートウォッチの接続の有無を判定するための接続情報の一例である。
【図６】携帯型情報端末からスマートウォッチへ送信される設定情報の一例を示す図である。
【図７】第１の実施例に係るスマートウォッチの構成例を示すブロック図である。
【図８】第１の実施例に係るスマートウォッチの出威力制御プログラムの機能的な構成を示す図である。
【図９】第１の実施例に係る車載装置の構成例を示すブロック図である。
【図１０】第１の実施例に係る車載装置の情報提供プログラムの機能的な構成を示す図である。
【図１１】本発明の第１の実施例に係る情報通知システムの動作を示すフロー図である。
【図１２】本発明の第２の実施例に係る情報通知システムの動作を示すフロー図である。
【図１３】本発明の第３の実施例に係る表示制御プログラムの機能的な構成を示す図である。
【図１４】本発明の第３の実施例に係る情報通知システムの動作を示すフロー図である。
【図１５】本発明の第４の実施例に係る案内情報の表示例を示す図である。
【図１６】本発明の第４の実施例に係る情報通知システムの動作を示すフロー図である。
【図１７】従来の課題を説明する図である。
【発明を実施するための形態】
【００１５】
次に、本発明の実施の形態について説明する。本発明の好ましい実施形態では、情報端末は、例えば、スマートフォン、タブレット型端末、ラップトップ型端末等であることができる。また、好ましい実施形態では、情報端末は、狭域プロトコルによる無線通信（例えば、ＷｉＦｉ、ＮＦＣ(近距離通信)、高域プロトコルによる無線通信（例えば、３Ｇ、４Ｇ、ＬＴＥ、ＷｉＭＡＸなど）をする機能を備え、例えば、外部のネットワークや後述するウェアラブル端末ないし車載装置等と連携することが可能である。さらに好ましい実施係蹄では、情報端末は、ウェアラブル端末の機能と連携するソフトウエアアプリケーションを搭載することができる。例えば、あるアプリケーションは、ウェアラブル端末によって計測された人体に関する情報（心拍数、血圧など）を処理し、管理し、出力することができる。さらに他のアプリケーションは、ウェアラブル端末の出力設定を変更することができ、状況に応じてウェアラブル端末の表示を制限する。なお、情報端末は、ウェアラブル端末と連携する機能の他にも、他の機能、例えば、通話する機能、ナビゲーション機能、オーディオ・ビデオデータを再生する機能、テレビ・ラジオを受信する機能などを搭載することも可能である。
【００１６】
本発明の携帯端末は、例えば、スマートフォン、タブレット型端末等の携帯型の情報端末であることができ、より好ましい実施形態では、携帯端末は、人体に直接的にまたは間接的に装着可能なウェアラブル端末である。ウェアラブル端末は、人体の腕部、脚部、あるいは頭部などに装着可能な形態を有し、例えば、手首に装着する腕時計型のスマートウォッチであることができる。好ましい実施形態では、ウェアラブル端末は、情報端末と連携するため情報端末と無線通信する機能を搭載し、さらにウェアラブル端末は、人体に関する情報、例えば、血圧、心拍数などを計測する機能を有し、計測した情報を情報端末へ送信する。さらにウェアラブル端末は、情報端末と接続されている間に、情報端末がメールを受信したり、ソーシャルネットワークサービスの更新を受信すると、それらの情報を情報端末から受信し、これを出力する機能を備える。メール等の受信は、例えば、表示画面、音声、または振動によりユーザーに伝えられる。
【００１７】
本発明に係る電子装置は、コンピュータ装置、車載装置、タブレット型端末などであることができる。好ましい実施形態では、電子装置は、情報端末と連携するための無線通信機能を搭載し、さらに情報端末に対して、ウェアラブル端末の表示を制限すべきか否かを判定するために必要な状況信号を提供する。状況信号は、ウェアラブル端末が使用される環境を判定するための信号である。また、好ましい実施形態では、電子装置は、ナビゲーション機能、オーディオ・ビデオデータを再生する機能、テレビ・ラジオを受信する機能、データ通信機能などを備える車載装置であり、当該車載装置はさらに、車両の状態を検出する検出手段を備え、例えば、ギアポジション情報、車速情報等の車両に関する情報を取得し、これを状況信号として情報端末に提供することができる。
【実施例】
【００１８】
次に、本発明の実施例について図面を参照して詳細に説明する。図１は、本発明の第１の実施例に係る情報通知システムの構成を示す図である。本実施例に係る情報通知システム１は、スマートフォン等の携帯型情報端末１０、スマートウォッチ２０および車載装置３０を含んで構成される。携帯型情報端末１０は、無線による双方向の接続手段２を介してスマートウォッチ２０に接続可能であり、さらに携帯型情報端末１０は、無線による双方向の接続手段３を介して車載装置３０に接続可能である。
【００１９】
図２は、携帯型情報端末１０の構成を示すブロック図である。同図に示すように、携帯型情報端末１０は、通信部１００、入力部１１０、表示部１２０、音声出力部１３０、記憶部１４０、制御部１５０を含んで構成される。但し、これは典型的な構成例であり、携帯型情報端末１０は、上記以外の機能を含むものであっても良い。
【００２０】
通信部１００は、スマートウォッチ２０や車載装置３０を含む外部機器との間で無線による通信を可能にする。通信部１００は、例えば、Ｂｌｕｅｔｏｏｔｈ（登録商標）、Ｗｉ−Ｆｉ（登録商標）、ＷｉＭａｘ、３Ｇ、４Ｇ、ＬＴＥ等の無線通信機能を搭載する。なお、以下の説明において、Ｂｌｕｅｔｏｏｔｈ（登録商標）による接続を、便宜上、ＢＴ接続という。通信部１００は、例えば、スマートウォッチ２０および車載装置３０を同時にＢＴ接続することが可能であり、その場合、スマートウォッチ２０および車載装置３０は、それぞれのチャンネルのプロファイルを介して通信が確立される。さらに、通信部１００は、外部のネットワークやサーバ等への無線接続が可能であり、メールサーバやソーシャルネットワーキングサービスを提供するサーバ等と通信を行い、そこから、メール、コメント、メッセージ、更新情報など種々の情報を受信することができる。以下の説明において、携帯型情報端末１０が通信部１００を介して外部のサーバ等から受信するメール、コメント、メッセージ、更新情報などを、便宜上、総称して「外部情報」という。
【００２１】
入力部１１０は、タッチパネル、入力キーデバイス、音声入力認識装置などにより、ユーザーからの指示を受け取り、これを制御部１５０へ提供する。表示部１２０は、例えば、液晶や有機ＥＬパネル等から構成され、表示部１２０に表示されたアイコン等をタッチすることにより各アプリケーションを実行することができる。また、通信部１００を介して外部情報の受信があった場合には、表示部１２０に外部情報の受信があったことを表す通知を表示することができる。以下の説明において、外部情報の受信があったことを表す通知を、便宜上、プッシュ通知またはポップアップ通知という。音声出力部１３０は、記憶部１４０に記憶されたオーディオデータを出力したり、通信部１００を介して外部情報の受信があった場合には、受信があったことを示す音声を出力する。
【００２２】
記憶部１４０は、携帯型情報端末１０の固有の機能を実行するためのプログラム、外部サーバなどからダウンロードしたアプリケーションプログラム等を記憶することができる。アプリケーションプログラムは、例えば、スマートウォッチ２０との連携を可能にするものや、スマートウォッチ２０の設定情報を変更するもの、車載装置３０との連携を可能にするものであることができる。さらに、ナビゲーション機能、音楽再生機能、インターネットブラウザなどのアプリケーションを含むことも可能である。
【００２３】
制御部１５０は、好ましい態様では、ＲＯＭ、ＲＡＭなどを含むマイクロコントローラ等から構成され、ＲＯＭまたはＲＡＭは、携帯型情報端末１０の各部の動作を制御するための種々のプログラムを格納することができる。第１の実施例では、制御部１５０は、車載装置３０から送信される状況信号に基づきスマートウォッチ２０の表示を制御する表示制御プログラム２００を実行する。
【００２４】
図３は、表示制御プログラムの機能的な構成例を示す図である。表示制御プログラム２００は、ポップアップ通知部２１０、状況信号受信部２２０、表示制限判定部２３０、接続判定部２４０、および通知制御部２５０を含んで構成される。
【００２５】
プッシュ情報通知部２１０は、携帯型情報端末１０が通信部１００を介して外部情報の受信があったとき、プッシュ通知またはポップアップ通知に関する情報（以下、プッシュ情報と称する）をスマートウォッチ２０へ送信する。なお、外部情報の受信があったとき、携帯型情報端末１０の表示部１２０にプッシュ通知を表示し、あるいは音声出力部１３０から音声を出力させることができる。
【００２６】
状況信号取得部２２０は、車載装置３０から送信される状況信号を取得する。状況信号は、スマートウォッチ２０が使用される環境を判定するための情報であり、例えば、車載装置３０と携帯型情報端末１０とがＢＴ接続であるとき、車載装置３０に電力が供給されると、車載装置３０は、携帯型情報端末１０と接続を確立するためのリクエスト信号を送信するが、状況信号取得部２２０は、このようなリクエスト信号を状況信号として取得することができる。あるいは、他の例では、車載装置３０と携帯型情報端末１０とが接続された状態にあるとき、状況信号取得部２２０は、車載装置３０から車両の状態に関する情報を状況信号として取得することができる。例えば、車両が走行中か停車中かを判定するための情報として、ギアポジション情報、車速情報などが取得される。さらに状況信号取得部２２０は、携帯型情報端末１０が車載装置３０から離間している距離を表す距離情報を状況信号として取得することができる。距離情報は、例えば、ＢＴ接続による無線通信が可能な距離であり、携帯型情報端末１０が車載装置３０にＢＴ接続されたか否かを表す信号である。
【００２７】
表示制限判定部２３０は、状況信号取得部２２０によって取得された状況信号に基づきスマートウォッチ２０の表示を制限すべきか否かを判定する。好ましい例では、表示制限判定部２３０は、スマートウォッチ２０を装着するユーザーが運転中であると推定できる場合には、スマートウォッチ２０の表示を制限すると判定する。運転中にスマートウォッチ２０に表示が成されると、ユーザーの視線がスマートウォッチ２０へ誘導され、安全運転の妨げとなるためである。具体的には、状況信号が車載装置３０から無線通信を確立するためのリクエスト信号を表すとき、ユーザーが車内に存在し、これから運転を開始すると推測されるため、スマートウォッチ２０の表示を制限すべきと判定する。
【００２８】
表示制限判定部２３０はさらに、他の状況信号に基づきスマートウォッチ２０の表示を制限すべきか否かを判定することができる。図４にその例を示す。例えば、状況信号が距離情報である場合に、携帯型情報端末１０が車載装置３０に一定距離に接近すれば、表示を制限すべきと判定し、一定距離以上離れれば、表示を制限すべきでないと判定する。例えば、エンジンを動作させた状態で停車し、ユーザーが一時的に車両から降車したとき、ユーザーが所持する携帯型情報端末１０が車両から一定距離以上離れると（つまり、ＢＴ接続による通信可能な距離を超えると）、表示制限をすべきでないと判定され、再び、ユーザーが車両に乗車する際に、携帯型情報端末１０が車両から一定距離以内に近づくと（つまり、ＢＴ接続による通信可能な距離以内になると）、表示制限をすべきと判定される。また、状況信号がギアポジション情報である場合に、ギアポジションがパーキング信号を表せば、表示制限をすべきでないと判定され、パーキング信号以外を表せば、表示制限すべきと判定する。さらに、状況信号が車速情報である場合に、車速が一定速度以上になれば、表示制限すべきと判定され、一定速度未満であれば、表示制限すべきでないと判定される。表示制限判定部２３０は、図４に示す状況信号の１つまたは複数を組合せた加重要件により、スマートウォッチ２０の表示を制限すべきか否かを判定するようにしてもよい。
【００２９】
接続判定部２４０は、表示制限判定部２３０によってスマートウォッチ２０の表示を制限すべきと判定された場合に、携帯型情報端末１０とスマートウォッチ２０との間に接続手段２が確立されているか否かを判定する。一例として、携帯型情報端末２０は、接続された装置との接続情報を保持し、接続判定部２４０は、当該接続情報を参照してスマートウォッチ２０の接続の有無を判定することができる。図５は、接続情報の一例である。同図において、デバイス名は、例えばＢＴ機器を備える接続可能な装置の名称であり、メジャークラスは、接続可能な装置の上位カテゴリーを示し、マイナークラスは、接続可能な装置の下位カテゴリーを示し、ステータスは、接続状況を示す。
【００３０】
例えは、メジャークラスのコードが「００００１」であるとき、これはウェアラブル端末を示し、マイナークラスのコードが「０００１１０」であるとき、これはスマートウォッチを示す。この例では、接続判定部２４０は、通信部１００を介して名称Ｂのスマートウォッチ２０が接続されていると判定する。
【００３１】
通知制御部２５０は、表示制限判定部２３０によってスマートウォッチ２０の表示を制限すべきと判定され、かつ接続判定部２４０によりスマートウォッチ２０が接続されていると判定された場合に、スマートウォッチ２０の表示を制限するための設定情報を生成し、これをスマートウォッチ２０へ送信する。設定情報は、スマートウォッチ２０において解読され、スマートウォッチ２０は、携帯型情報端末１０から送信されるプッシュ情報を非表示にする。図６に、設定情報の一例を示す。例えば、スマートウォッチ２０が情報の出力手段として、表示出力、音声出力および振動出力を備えているものとする。通知制御部２５０は、スマートウォッチ２０の表示を制限させないと判定された場合、設定情報を送信しないか、あるいは設定コード「００」を送信し、スマートウォッチ２０の出力設定をデフォルト状態に戻す。設定コード「００」は、スマートウォッチ２０の表示、音声および振動のすべてを活性化させる。他方、スマートウォッチ２０の表示を制限させると判定された場合、通知制御部２５０は、設定コード「０１」、「１０」、「１１」のいずれかを送信する。設定コード「０１」は、スマートウォッチ２０の表示のみを非活性化させ、音声と振動を活性化させ、設定コード「１０」は、表示と音声を非活性化させ、振動のみを活性化させ、設定コード「１１」は、表示、音声および振動のすべてを非活性化させる。
【００３２】
次に、スマートウォッチ２０の構例を図７に示す。スマートウォッチ２０は、通信部３００、入力部３１０、表示部３２０、計測部３３０、振動部３４０、音声出力部３５０、記憶部３６０および制御部３７０を含んで構成される。なお、図７に示す構成は一例であり、他の構成、機能を含むものであっても良い。
【００３３】
通信部３００は、携帯型情報端末１０を含む外部機器との間で無線による通信を可能にする。通信部３００は、例えば、ＢＴ接続により接続手段２を構成する。スマートウォッチ２０は、通信部３００を介して携帯型情報端末１０と接続されている間、携帯型情報端末１０のプッシュ情報通知部２１０から送信されるプッシュ情報を受け取ることができる。
【００３４】
入力部３１０は、ユーザーからの指示を受け取り、これを制御部３５０へ提供する。表示部３２０は、例えば、現在時刻を表示したり、携帯型情報端末１０から送信されたプッシュ情報を表示したり、計測部３３０で計測された人体に関する情報を表示したりする。計測部３３０は、血圧、心拍数、その他人体に関する情報を計測する。計測された情報は、例えば、通信部３００によって携帯型情報端末１０へ送信される。振動部３４０は、振動によってユーザーに情報を伝えるものであり、例えば、携帯型情報端末１０からプッシュ情報が受信されたとき、振動をさせる。音声出力部３５０は、例えば、携帯型情報端末１０からプッシュ情報が受信されたとき、ピープ音等を出力する。
【００３５】
記憶部３６０は、スマートウォッチ２０で使用されるデータ、スマートウォッチ２０の固有の機能を実行するためのプログラム、外部サーバなどからダウンロードしたアプリケーションプログラム等を記憶することができる。アプリケーションプログラムは、例えば、携帯型情報端末１０との連携を可能にするものや、その他任意の機能のアプリケーションを搭載することができる。
【００３６】
制御部３７０は、好ましい態様では、ＲＯＭ、ＲＡＭなどを含むマイクロコントローラ等から構成され、ＲＯＭまたはＲＡＭは、スマートウォッチ２０の各部の動作を制御するための種々のプログラムを格納することができる。第１の実施例では、制御部３７０は、携帯型情報端末１０から送信された設定情報に基づき出力を制御する出力制御プログラム４００を実行する。
【００３７】
図８に、出力制御プログラム４００の機能的な構成を示す。出力制御プログラム４００は、設定情報受信部４１０、設定変更部４２０および設定保持部４３０を含む。設定情報受信部４１０は、携帯型情報端末１０の通知制御部２５０から送信される設定情報を受信する。設定変更部４２０は、受信した設定情報に基づきスマートウォッチ２０の出力設定を変更すべきか否かを判定し、変更すべきと判定した場合には、出力設定を変更する。例えば、設定情報が図６の示すものであるとき、設定変更部４２０は、設定コードを解読し、現在の出力設定と異なる場合には、出力設定を変更する。例えば、現在の出力設定が表示部３２０、振動部３４０および音声出力部３５０のすべてを活性化するデフォルト状態にあるとき、設定コードが「０１」であれば、設定変更部４２０は、表示部３２０のみを非活性化させ、振動部３４０および音声出力部３５０を活性化するように出力設定を変更する。設定変更部４２０によって変更された出力設定は、設定保持部４３０によって保持される。
【００３８】
図９に、車載装置３０の構成例を示す。車載装置３０は、入力部５００、自車位置算出部５１０、ナビゲーション部５２０、通信部５３０、表示部５４０、音声出力部５５０、車両状態検出部５６０、記憶部５７０、制御部５８０を含んで構成される。なお、図８に示す構成は例であり、他の構成、機能を含むものであっても良い。
【００３９】
入力部５００は、ユーザーからの入力を受け取り、これを制御部５８０へ提供する。入力部５００は、例えば、タッチパネル、入力キーデバイス、音声入力等を含む。自車位置算出部５１０は、車速センサ、加速度センサ、あるいはＧＰＳ衛星等を利用して自車位置を算出する。ナビゲーション部５２０は、自車位置算出部５１０で算出された位置情報に基づき、自車位置周辺の道路地図を表示部５４０に表示させたり、目的地までの経路の探索や案内を行ったりする。
【００４０】
通信部５３０は、上記したように携帯型情報端末２０との間の接続手段３を構成し、携帯型情報端末２０との間で有線および／または無線による通信を可能にする。好ましくは、通信部５３０は、携帯型情報端末２０とＢＴ接続を行う。この場合、両端末が過去に接続されたことがあれば、そのときのペアリング情報が登録されている。表示部５４０は、ナビゲーション部５２０により生成された地図画像等を表示する。さらに表示部５４０は、スマートウォッチ２０が接続された携帯型情報端末１０が車載装置３０に接続されているとき、携帯型情報端末１０から送信される情報やスマートウォッチ２０から送信される人体に関する計測情報（血圧、心拍数など）を表示することができる。音声出力部５５０は、ナビゲーション部５２０により生成された音声案内等を出力する。さらに、音声出力部５５０は、携帯型情報端末１０が車載装置３０に接続されているとき、携帯型情報端末１０から送信される音声データ等を出力することができる。
【００４１】
車両状態検出部５６０は、車載装置３０が搭載された車両の状態に関する情報を検出する。車両状態検出部５６０は、例えば、車内バス等を介して、ギアポジション情報、車速情報等を取得する。車両状態検出部５６０は、上記の他の情報を含むようにしても良い。記憶部５７０は、ナビゲーション部５２０で使用する地図データや、その他、車載装置３０に必要なデータやアプリケーションプログラム等を記憶する。
【００４２】
制御部５８０は、マイクロプロセッサやマイクロコントローラを含み、ＲＯＭ／ＲＡＭあるいは記憶部５７０に記憶されたプログラム等を実行することにより各部を制御する。さらに本実施例では、制御部５８０は、スマートウォッチ２０の表示を制限すべきか否かを判定するための必要とする状況信号を携帯型情報端末１０に送信したり、車載装置３０の付近に存在する無線通信可能な装置を検索する情報提供プログラム６００を実行する。
【００４３】
図１０に、情報提供プログラム６００の機能的な構成例を示す図である。情報提供プログラム６００は、検索部６１０、および状況信号送信部６２０を含む。検索部６１０は、車両のイグニッションキーが操作されアクセサリーモード（ＡＣＣ）がオンにされ、車載装置３０へ電力が供給されると、通信部５３０を介して、車載装置３０の近辺に存在するＢＴ接続が可能な装置を検索する。好ましくは、検索部６１０は、過去に車載装置３０が携帯型情報端末１０にＢＴ接続されたことがある場合には、登録されたペアリング情報に基づき携帯型情報端末１０を検索する。検索部６１０は、検索された携帯型情報端末１０に対してＢＴ接続を確立するためのリクエスト信号を送信し、携帯型情報端末１０からリクエスト信号に対する返信があったとき、車載装置３０と携帯型情報端末１０との間にＢＴ接続が確立される。
【００４４】
状況信号送信部６２０は、検索部６１０によってリクエスト信号が送信され、ＢＴ接続が確立されると、ＢＴ接続を介して、リクエスト信号が送信されたこと、あるいは両機器がＢＴ接続されたことを示す状況信号を携帯型情報端末１０に送信する。さらに状況信号送信部６１０は、スマートウォッチ２０の使用環境を判定するために必要な状況信号として、車両状態検出部５６０で検出された車両の状態に関する情報、携帯型情報端末１０の距離情報（ＢＴ接続のオン、オフを表す信号と等価である）を携帯型情報端末１０へ送信することができる。
【００４５】
次に、第１の実施例に係る情報通知システムの動作について図１１のフローを参照して説明する。まず、情報通知システム１では、ＡＣＣがオンになった際に車載装置３０が起動され、これに伴い情報提供プログラム６００が実行される。検索部６１０は、通信部５３０を介して接続可能な携帯型情報端末１０の検索を開始し（Ｓ１００）、検索されると、通信部５３０は、携帯型情報端末２０に対して接続確立のためのリクエスト信号を送信する（Ｓ１０２）。携帯型情報端末１０の通信部１００は、リクエスト信号を受信し、これに応答することで、両機器の接続が確立される。
【００４６】
本例では、このリクエスト信号が状況信号を兼ねるものとする。それ故、状況信号送信部６２０は、リクエスト信号の送信をもって状況信号の送信とする。但し、これ以外にも、状況信号送信部６２０は、リクエスト信号の送信、または両機器の接続の確立に応答して、別箇、その旨を表す状況信号を携帯型情報端末１０へ送信するようにしてもよい。携帯型情報端末１０の状況信号取得部２２０が状況信号を受信すると（Ｓ１０４）、表示制限判定部２３０は、状況信号に基づきスマートウォッチ２０の表示を制限すべきか否かを判定し（Ｓ１０６）、表示を制限すべきと判定された場合には、接続判定部２４０は、スマートウォッチ２０が接続されているか否かを判定する（Ｓ１０８）。スマートウォッチ２０が接続されていると判定された場合には、通知制御部２５０は、スマートウォッチ２０の出力設定を変更するための設定情報を生成し、これをスマートウォッチ２０に送信する（Ｓ１１０）。通知制御部２５０は、例えば、スマートウォッチ２０の表示のみが非活性化されるような設定コード「０１」（図６を参照）を含む設定情報を生成し、これを送信する。スマートウォッチ２０の設定情報受信部４１０は、設定情報を受信し、設定変更部４２０は、設定情報に従い出力設定を変更する（Ｓ１１２）。これにより、スマートウォッチ２０の表示が制限される。
【００４７】
その後、携帯型情報端末１０において外部情報が受信されると（Ｓ１１４）、プッシュ情報通知部２１０は、外部情報の受信があったことを示すプッシュ通知またはポップアップ通知に関する情報、すなわちプッシュ情報をスマートウォッチ２０に通知するが（Ｓ１１６）、スマートウォッチ２０の表示が制限されるように出力設定が変更されているため、スマートウォッチ２０の表示部３２０にはプッシュ情報は表示されない（Ｓ１１８）。仮に、振動部３４０や音声出力部３５０の動作が有効となるように活性化されている場合には、振動やビープ音などが出力される。
【００４８】
スマートウォッチ２０の表示制限の解除は、例えば、図４に示すような通常表示と判定するような状況信号が取得されたとき、通知制御部２５０は、設定コード「００」の設定情報をスマートウォッチ２０へ送信することで実行される。
【００４９】
このように本実施例の情報通知システムでは、運転中と判定される場合には、自動的にスマートウォッチ２０の表示が制限されるため、運転中における危険な確認動作を防止することができる。また、本実施例では、スマートウォッチ側の表示が制限されるが、携帯型情報端末１０とスマートウォッチ２０との無線接続は維持されているため、運転中もスマートウォッチ２０の本来の機能である心拍やライフログ等の計測情報を携帯型情報端末１０へ通信することができ、携帯型情報端末１０は、その計測情報に基づき運転中のドライバをモニタリングすることができる。さらに、計測中に、プッシュ通知の契機となるイベント（心拍の急な上昇等）が発生した場合、携帯型情報端末１０は、車載装置３０の表示部５４０にプッシュ通知を表示させるようにしてもよい。
【００５０】
次に、第１の実施例の変形例について説明する。上記実施例では、スマートウォッチ２０の表示を制限すべきと判定された場合、携帯型情報端末１０が図６に示すような制御情報をスマートウォッチ２０へ送信する例を示したが、変形例では、スマートウォッチ２０がプッシュ通知またはポップアップ通知をオン／オフ設定機能を備えている場合には、このオン／オフ設定を携帯型情報端末１０から制御するようにしてもよい。すなわち、スマートウォッチ２０の表示を制限すべきと判定された場合、携帯型情報端末１０は、プッシュ通知またはポップアップ通知をオフさせるための設定情報をスマートウォッチ２０へ送信し、表示を制限すべきでないと判定された場合、携帯型情報端末１０は、プッシュ通知またはポップアップ通知をオンさせるための設定情報をスマートウォッチ２０へ送信する。
【００５１】
また、上記実施例では、ＡＣＣがオンしたことに応答して車載装置３０に電力が供給される例を示したが、例えば、車載装置３０の通信部５３０が、ＡＣＣのオンと連動せず、ＡＣＣがオフのときでも電力供給されるモジュール構成であれば、携帯型情報端末２０が車載装置３０から一定距離以内に進入したとき、接続を確立するためのリクエスト信号が自動的に送信され、携帯型情報端末２０が車載装置３０から一定距離だけ離れたとき、自動的にＢＴ接続が切断される。このような場合、ＡＣＣがオフの状態であっても、携帯型情報端末２０が車載装置３０に一定距離以内に近づいたことをトリガーにスマートウォッチ２０の出力設定を変更することが可能であり、一定距離だけ離れたことをトリガーに出力設定をもとに戻すことが可能となる。
【００５２】
次に、本発明の第２の実施例について説明する。第１の実施例は、スマートウォッチ２０の出力設定を変更することによりプッシュ情報の表示を制限したが、第２の実施例は、携帯型情報端末１０側の出力設定を変更することでプッシュ情報の表示を制限する。
【００５３】
図１２に、第２の実施例に係る情報通知システムの動作フローを示す。ステップＳ１００〜Ｓ１０８までは、第１の実施例のときの図１１のステップと同じであるため、説明を省略する。携帯型情報端末１０において外部情報が受信されると（Ｓ２００）、通知制御部２５０は、スマートウォッチ２０の出力設定を変更するための設定情報を送信せず、その代わりに、プッシュ情報通知部２１０によるプッシュ情報の通知を禁止する。すなわち、外部情報が受信されたことに応答してプッシュ情報がスマートウォッチ２０へ送信されない。このため、スマートウォッチ２０は、プッシュ情報を受信しないため、プッシュ情報の出力が制限される。
【００５４】
次に、本発明の第３の実施例について説明する。第２の実施例では、外部情報の受信があったとき、プッシュ情報がスマートウォッチ２０へ通知されないようにしたが、第３の実施例では、通知されなかったプッシュ情報を蓄積し、スマートウォッチ２０の表示制限が解除されたとき、蓄積されたプッシュ情報をスマートウォッチ２０へ送信する。
【００５５】
図１３は、第３の実施例に係る表示制御プログラム２００Ａの機能的な構成を示す図である。第３の実施例はさらに、プッシュ情報蓄積部２６０を含む。プッシュ情報蓄積部２６０は、プッシュ情報通知部２１０によりプッシュ情報が非通知とされたとき、当該プッシュ情報を蓄積する。そして、プッシュ情報通知部２１０は、表示制限判定部２３０によってスマートウォッチ２０の表示を制限すべきでないと判定されたとき（表示制限が解除されたとき）、プッシュ情報蓄積部２６０に蓄積されたプッシュ情報をスマートウォッチ２０へ送信する。これにより、スマートウォッチ２０は、受信したプッシュ情報を表示することができる。
【００５６】
図１４は、第３の実施例に係る情報通知システムの動作を示すフロー図である。ステップＳ２０２までは、第２の実施例のときと同様であるため説明を省略する。スマートウォッチ２０の表示が制限されている期間中、外部情報の受信があってもプッシュ情報は非通知にされるが、それらのプッシュ情報は、プッシュ情報蓄積部２６０によって蓄積される（Ｓ３００）。
【００５７】
表示制限判定部２３０によってスマートウォッチ２０の表示を制限すべきでないと判定されたとき（Ｓ３０２）、プッシュ情報通知部２１０は、プッシュ情報蓄積部２６０に蓄積されたプッシュ情報をスマートウォッチ２０に通知する（Ｓ３０４）。スマートウォッチ２０は、プッシュ情報を受信すると、表示部３２０にプッシュ情報を表示する（Ｓ３０６）。
【００５８】
なお、第３の実施例では、プッシュ情報が通知されない場合にプッシュ情報を蓄積する例を示したが、第１の実施例のようにプッシュ情報が通知されたとしても結果的にプッシュ情報がスマートウォッチ２０で表示されない場合にも同様にプッシュ情報を蓄積しておき、スマートウォッチ２０の表示制限が解除されたときにプッシュ情報を再通知するようにしてもよい。
【００５９】
次に、本発明の第４の実施例について説明する。第１ないし第３の実施例では、携帯型情報端末側の出力設定を変更したり、あるいはスマートウォッチ側の出力設定を変更するものであるが、第４の実施例は、スマートウォッチ２０の出力設定の自動変更を行わず、ユーザーに案内情報を提示することで、スマートウォッチ２０の出力設定の変更を促すものである。
【００６０】
通知制御部２５０（図３および図１３を参照）は、スマートウォッチ２０の表示を制限すべきと判定された場合に、スマートウォッチ２０の出力設定を変更するための設定情報の生成／送信を行わず、外部情報の受信があったときにスマートウォッチ２０へのプッシュ情報を非通知にし、車載装置３０の表示部５４０に案内情報を表示させる。案内情報は、例えば、図１５（Ａ）に示すように、スマートウォッチ２０の表示を制限するような警告メッセージを含むことができる。あるいは、案内情報は、図１５（Ｂ）に示すように、スマートウォッチ２０の表示を制限することに対するユーザー入力ボタン４００、４０２を含むことができる。このような案内情報は、通知制御部２５０が接続手段３を介して車載装置３０に送信してもよいし、車載装置３０において予め案内情報を用意しておいてもよい。
【００６１】
案内情報の表示態様は任意であるが、例えば、図１５（Ａ）に示すような案内情報を一定期間表示させることで注意を喚起したり、あるいはスマートウォッチ２０による接続手段２が切断されるまで表示を継続させてもよい。また、図１５（Ｂ）に示すような案内情報を表示させた場合、通知制御部２５０は、案内情報の入力ボタン４００に対するユーザー入力に応じて、スマートウォッチ２０のＢＴ接続をオフにするか、あるいはスマートウォッチ２０の表示が制限されるように出力設定を変更するようにしてもよい。さらに別の態様として、ユーザー自身が、スマートウォッチ２０の入力部３１０を介して、スマートウォッチ２０の、例えばプッシュ通知の設定をオフにしたり、あるいは表示が制限されるような設定変更をしてもよい。
【００６２】
図１６は、第４の実施例に係る情報通知システムの動作を示すフローである。ステップＳ１００〜Ｓ１０８までは、第1の実施例のときと同様であるので説明を省略する。第４の実施例では、通知制御部２５０は、スマートウォッチ２０が接続されていると判定されると（Ｓ１０８）、車載装置３０に案内情報を送信し、案内情報の表示を指示する（Ｓ４００）。車載装置３０は、当該指示に従い案内情報を表示部５４０に表示する（Ｓ４０２）。例えば、図１５（Ｂ）に示すような案内情報が表示された場合、車載装置３０へのユーザー入力が携帯型情報端末１０へ送信され、通知制御部２５０は、ユーザー入力によってスマートウォッチ２０の表示制限の許可を得ることができた場合には、第1の実施例のときと同様に、スマートウォッチ２０の出力設定を変更するための設定情報をスマートウォッチ２０へ送信し（Ｓ４０４）、スマートウォッチ２０は、当該設定情報に従い出力設定を変更する（Ｓ４０６）。
【００６３】
このように第４の実施例によれば、案内情報を表示し、ユーザーからの許可を待ってスマートウォッチ２０の表示を制限するようにしたので、ユーザーは、スマートウォッチ２０の使用環境を認識した上でスマートウォッチ２０の表示を制限すべきか否かを決定することができる。
【００６４】
以上、本発明の好ましい実施の形態について詳述したが、本発明は、特定の実施形態に限定されるものではなく、特許請求の範囲に記載された発明の要旨の範囲において、種々の変形、変更が可能である。
【符号の説明】
【００６５】
１：情報通知システム                  ２、３：接続手段
１０：携帯型情報端末                      ２０：スマートウォッチ
３０：車載装置                          １００：通信部
１１０：入力部                            １２０：表示部
１３０：音声出力部                        １４０：記憶部
１５０：制御部                            ２００：表示制御プログラム
２１０：プッシュ情報通知部                ２２０：状況信号取得部
２３０：表示制限判定部                    ２４０：接続判定部
２５０：通知制御部                        ２６０：プッシュ情報通知部
【図１】
0006534352.tif 000002
【図２】
0006534352.tif 000003
【図３】
0006534352.tif 000004
【図４】
0006534352.tif 000005
【図５】
0006534352.tif 000006
【図６】
0006534352.tif 000007
【図７】
0006534352.tif 000008
【図８】
0006534352.tif 000009
【図９】
0006534352.tif 000010
【図１０】
0006534352.tif 000011
【図１１】
0006534352.tif 000012
【図１２】
0006534352.tif 000013
【図１３】
0006534352.tif 000014
【図１４】
0006534352.tif 000015
【図１５】
0006534352.tif 000016
【図１６】
0006534352.tif 000017
【図１７】
0006534352.tif 000018